(57)【要約】【課題】  外観及び強度的に優れ、積雪の多い地方等においても好適で、施工も容易で、庇としても機能する雨樋構造を提供する。【解決手段】  屋根２の下端部と一体的に、内部空間３ａを有する箱状に形成された庇兼用軒樋３を屋根の下辺に沿って延設し、庇兼用軒樋の上面に、内部空間に通じる複数のスリット３ｂを形成した雨樋構造。従来の雨樋としての形状が全くなく、庇としても機能し、外観に優れるとともに、樋内に積雪することもない。複数の瓦を屋根の下辺に沿って連設した際に現れる外観になるように上面に凹凸を形成し、庇兼用軒樋を完全に屋根の瓦と一体化することができる。庇兼用軒樋の上面のスリットの上方に落葉防止用ネットを設け、樋の閉塞を防止できる。庇兼用軒樋の屋根に近接する底面３ｃに水勾配３ｈを設け、底面の最も低い部分を縦樋５に直接接続し、呼樋を不要にして作業性を向上させることもできる。【選択図】  図１
2005330742.tif 000002
【特許請求の範囲】
【請求項１】
屋根の下端部において、該下端部と一体的に、内部空間を有する箱状に形成された庇兼用軒樋を該屋根の下辺に沿って延設し、該庇兼用軒樋の上面に、前記内部空間に通じる複数のスリットを形成したことを特徴とする雨樋構造。
【請求項２】
複数の瓦を屋根の下辺に沿って連設した際に現れる外観になるように、上面に凹凸を形成したことを特徴とする請求項１に記載の雨樋構造。
【請求項３】
前記箱状の庇兼用軒樋の上面のスリットの上方に落葉防止用ネットを設けたことを特徴とする請求項１または２に記載の雨樋構造。
【請求項４】
前記庇兼用軒樋の前記屋根に近接する底面に水勾配を設け、該底面の最も低い部分を縦樋に直接接続したことを特徴とする請求項１、２または３に記載の雨樋構造。
【請求項５】
内部空間を有する箱状に形成された本体と、
該本体の上面に、前記内部空間に通じる複数のスリットとを備えることを特徴とする庇兼用軒樋用部材。
【請求項６】
前記本体の底面に水勾配を設け、該底面の最も低い部分を縦樋との接続部としたことを特徴とする請求項５に記載の庇兼用軒樋用部材。
【発明の詳細な説明】
【技術分野】
【０００１】
本発明は、雨樋構造に関し、特に、屋根と一体的に形成され、庇としても機能する軒樋等を備え、一文字葺きの家屋に好適な雨樋構造に関する。
【背景技術】
【０００２】
従来、軒樋は、建物とは別体として形成され、樋支持用金具等によって支持されていた。そのため、軒樋を支持するための金具の取付けには専門的な技術が必要となったり、積雪、風雨、日光の照射等によって劣化し、樋としての機能が低下するとともに、屋根の周辺の美観が損われる等の問題があった。また、庇についても、通常、建物とは別体として構成されていた。
【０００３】
上記問題点を解消するため、例えば、特許文献１には、軒樋を屋根と一体的に設けるとともに、隅角用縦樋を隅角用壁板と兼用し、建物の美観を向上させるとともに、安価で機能的に構成した雨樋が開示されている。この雨樋は、樋部と延設部からなる軒樋を、屋根の勾配に沿って一端部が他端部より上方に位置するように野地板の下端部に取り付け、下方側端部に集められた雨水を、呼樋を介して縦樋に流すように形成し、内部が空洞の略々角筒状に形成された縦樋を、左右の壁板間の空隙部に直接または縦樋支持用のコーナー材部を介して取り付けている。
【０００４】
【特許文献１】特開平１１−３５０６７８号公報
【発明の開示】
【発明が解決しようとする課題】
【０００５】
しかし、上記特許文献１に記載の雨樋においては、軒樋が屋根と一体的に形成されているものの、略々Ｌ字状に、従来の雨樋としての形状が残された状態で配置されている。そのため、外観の面で改善の余地があるとともに、上方が完全に解放されているため、積雪等によって雨樋が破損しやすくなるという問題もあった。
【０００６】
そこで、本発明は、上記従来の雨樋構造における問題点に鑑みてなされたものであって、外観に優れるとともに、強度的にも優れ、積雪の多い地方等においても好適で、施工も容易で、庇としても機能する雨樋構造を提供することを目的とする。
【課題を解決するための手段】
【０００７】
上記目的を達成するため、本発明は、雨樋構造であって、屋根の下端部において、該下端部と一体的に、内部空間を有する箱状に形成された庇兼用軒樋を該屋根の下辺に沿って延設し、該庇兼用軒樋の上面に、前記内部空間に通じる複数のスリットを形成したことを特徴とする。
【０００８】
そして、本発明によれば、内部空間に通じる複数のスリットを有する箱状の庇兼用軒樋を屋根の下端部と一体的に、屋根の下辺に沿って延設したため、従来の雨樋としての形状が全くなく、庇としても機能し、外観に優れるとともに、樋内に積雪することもないため、積雪の多い地方等においても好適に使用することができる。
【０００９】
前記雨樋構造において、複数の瓦を屋根の下辺に沿って連設した際に現れる外観になるように、上面に凹凸を形成することができる。これによって、庇兼用軒樋を完全に屋根の瓦と一体化することができ、従来の樋が存在しないような外観とすることができる。
【００１０】
前記雨樋構造において、前記箱状の庇兼用軒樋の上面のスリットの上方に落葉防止用ネットを設けることができる。これによって、樋内に落葉等が落下して樋が閉塞することを防止することができる。
【００１１】
前記雨樋構造において、前記庇兼用軒樋の前記屋根に近接する底面に水勾配を設け、該底面の最も低い部分を縦樋に直接接続することができる。これによって、呼樋が不要になり、施工の容易な雨樋構造を提供することができる。
【００１２】
また、本発明は、庇兼用軒樋用部材であって、内部空間を有する箱状に形成された本体と、該本体の上面に、前記内部空間に通じる複数のスリットとを備えることを特徴とする。この庇兼用軒樋用部材を、屋根の下端部において、該下端部と一体的に該屋根の下辺に沿って延設することにより、上述のように、従来の雨樋としての形状が全くなく、庇としても機能し、外観に優れるとともに、積雪の多い地方等においても好適に使用することが可能な庇兼用軒樋を構成することができる。
【００１３】
前記庇兼用軒樋用部材において、前記本体の底面に水勾配を設け、該底面の最も低い部分を縦樋との接続部とすることができる。接続部を直接縦樋に接続することにより、呼樋が不要になり、施工が容易となる。
【発明の効果】
【００１４】
本発明によれば、外観に優れるとともに、強度的にも優れ、積雪の多い地方等においても好適で、施工も容易で、庇としても機能する雨樋構造を提供することができる。
【発明を実施するための最良の形態】
【００１５】
図１は、本発明にかかる雨樋構造の一実施の形態を示し、この雨樋構造１は、屋根２の下端部２ａと一体的に庇兼用軒樋３が設けられ、庇兼用軒樋３の先端部３ｉに破風板４が貼着される。
【００１６】
庇兼用軒樋３は、塩化ビニル、溶融亜鉛メッキ鋼板等で、内部空間３ａを有する箱状に形成され、上面に内部空間３ａに通じる複数のスリット３ｂが形成される。庇兼用軒樋３の底面３ｃの屋根２に近接する部分に水勾配を設け、底面３ｃの最も低い部分を縦樋５との接続部３ｄとして、呼樋を介することなく、縦樋５に直接接続することができる。尚、スリット３ｂは、図１のように切り起して形成したり、複数のスリットが穿設された脱着型の板を取り付けて形成することもできる。
【００１７】
庇兼用軒樋３は、図２に示すように、例えば、鋼板等を略々コの字状に曲折して形成した第１部材３ｅと、鋼板等を略々Ｚ字状に曲折して形成した第２部材３ｆとを複数組み合わせて構成することができる。尚、縦樋５との接続部３ｄを備えた部分は、接続部３ｄの両側に水勾配３ｈを有する第３部材３ｇのように形成することができる。庇兼用軒樋３を上述のような分割構造とすることにより、個々の部材をベンダで容易に製造することができ、製造コストを低減することができる。
【００１８】
庇兼用軒樋３全体が屋根２と同様に連続する瓦の外観を呈するように形成することもできる。尚、庇兼用軒樋３をルーフパネルで形成した屋根２の先端部に装着することもできる。また、庇兼用軒樋３の上面のスリット３ｂの上方に図示しない落葉防止ネットを張設し、スリット３ｂを介して内部空間３ａに落葉等が落下して軒樋３が閉塞しないようにしてもよい。
【００１９】
庇兼用軒樋３は、図３に示されるように、屋根２の上方に向かって延設された部分３ｊが垂木６の小口にビスで固定される。また、庇兼用軒樋３に接続された縦樋５は、柱８に固定し、柱８に沿って下方に延設する。縦樋５を、柱８と図示しない外壁材との間に配置し、外側から縦樋５が全く目視されないようにすることができる。また、縦樋５の外表面を図示しない分割された外壁材の間に、外壁材の各々の外表面と、段差が生じないように連続して配置し、周囲との関係で縦樋５を全く違和感のない状態で設置することもできる。
【００２０】
庇兼用軒樋３及びその周辺を上記のような構造とすることにより、樋支持用金具、従来の樋が存在しないような外観とすることができ、庇としても機能させることができ、特に一文字葺きに好適である。また、庇兼用軒樋３は、野地合板７を介して垂木６と一体となっているため、高強度である。さらに、庇兼用軒樋３の中に積雪することもないため、積雪の多い地方等においても問題なく使用することができる。
【図面の簡単な説明】
【００２１】
【図１】本発明にかかる雨樋構造の一実施の形態を示す分解斜視図である。
【図２】図１の雨樋構造の庇兼用軒樋用部材の要部を示す分解斜視図である。
【図３】図１の雨樋構造を示す側断面図である。
【符号の説明】
【００２２】
１      雨樋構造
２      屋根
２ａ    下端部
３      庇兼用軒樋
３ａ    内部空間
３ｂ    スリット
３ｃ    底面
３ｄ    接続部
３ｅ    第１部材
３ｆ    第２部材
３ｇ    第３部材
３ｈ    水勾配
３ｉ    先端部
３ｊ    延設部
４      破風板
５      縦樋
６      垂木
７      野地合板
８      柱
【図１】
2005330742.tif 000003
【図２】
2005330742.tif 000004
【図３】
2005330742.tif 000005